(57)【要約】【課題】ヘッドレスト本体が前倒れするのを防止可能な摩擦抵抗を付与すると共に、アームレスト本体をシートバックの凹部から容易に出入れできるよう組み付ける。【解決手段】アームレスト本体２の下部側をシートバック１の座面部に設けた縦長な凹部１０の内側で枢軸１１によりバックフレーム１２に軸承枢着し、アームレスト本体２を上部側からシートバック１の凹部１０に出入れ可能に備えるもので、凹部１０の天部幅方向に設けた表皮材３ａ，３ｂによる後向きの折返し部３ｃと、アームレスト本体２の上部幅方向に設けた表皮材４ａ，４ｂによる前向きの折返し部４ｃとを突き合わせてアームレスト本体２をシートバック１の凹部１０に組み付ける。【選択図】図３
2005119432.tif 000002
【特許請求の範囲】
【請求項１】
アームレスト本体の下部側をシートバックの座面部に設けた縦長な凹部の内側でバックフレームに軸承枢着し、アームレスト本体を上部側からシートバックの凹部に出入れ可能に備える自動車用シートの埋込み型アームレストにおいて、片表皮材の折り返した端末を他表皮材の端末と重ねて縫い合わせる縫着により、凹部の天部幅方向に設けた後向きの折返し部と、アームレスト本体の上部幅方向に設けた前向きの折返し部とを突き合わせてアームレスト本体をシートバックの凹部に組み付けたことを特徴とする自動車用シートの埋込み型アームレスト。
【発明の詳細な説明】
【技術分野】
【０００１】
本発明は、アームレスト本体をシートバックの座部面に設ける凹部から出入れ可能に備える自動車用シートの埋込み型アームレストに関するものである。
【背景技術】
【０００２】
自動車用シートにおいては、図４で示すように縦長な凹部１０をシートバック１の座面部に設け、アームレスト本体２の下部側を枢軸１１により凹部１０の内側でバックフレーム１２に軸承枢着することにより、アームレスト本体２を上部側からシートバック１の凹部１０に出入れ可能な埋込み型のアームレストを備えるものがある。
【０００３】
その埋込み型のアームレストでは、アームレスト本体２をシートバック１の凹部１０から容易に出入れ可能な嵌合せ状態で組み付ける反面、ブレーキ作動等に伴って前に倒れ出さない程度のホールド性を持たせて組み付けるよう形状設定されている。
【０００４】
然し、そのシートバックの凹部並びにアームレストは表皮材から縫製するトリムカバーで被包させて組み立てられるため、凹部の内のり形状やアームレストの外形形状について多少のバラ付きが生じ易い。
【発明の開示】
【発明が解決しようとする課題】
【０００５】
解決しようとする課題は、凹部の内のり形状やアームレストの外形形状が多少バラ付いても、アームレスト本体のホールド性を如何に付与するよう形成するかの点である。
【課題を解決するための手段】
【０００６】
本発明は、アームレスト本体の下部側をシートバックの座面部に設けた縦長な凹部の内側でバックフレームに軸承枢着し、アームレスト本体を上部側からシートバックの凹部に出入れ可能に備えるもので、片表皮材の折り返した端末を他表皮材の端末と重ねて縫い合わせる縫着により、凹部の天部幅方向に設けた後向きの折返し部と、アームレスト本体の上部幅方向に設けた前向きの折返し部とを突き合わせてアームレスト本体をシートバックの凹部に組み付けることを主要な特徴とする。
【発明の効果】
【０００７】
本発明に係る自動車用シートの埋込み型アームレストでは、アームレスト本体をシートバックの凹部に組み付けると、凹部の天部幅方向に設けた表皮材による後向きの折返し部と、アームレスト本体の上部幅方向に設けた表皮材による前向きの折返し部とが付き合わさることから、ヘッドレスト本体が前倒れするのを防止可能な摩擦抵抗を付与できると共に、アームレスト本体をシートバックの凹部から容易に出入れできるよう組み付けられる。
【発明を実施するための最良の形態】
【０００８】
図１，図２は、メインシートＭとサブシートＳとを一体に組み立てた自動車用のセカンドシートを示す斜視図である。この自動車用シートにおいては、アームレスト本体２がサブシートＳのシートバック１に備え付けられている。そのアームレスト本体２は、下部側をシートバック１の座面部に設けた縦長な凹部１０の内側で枢軸１１によりバックフレーム１２に軸承枢着し、上部側からシートバック１の凹部１０に出入れ可能に組み付けられている。
【０００９】
シートバック１は、図３で示すようにシートバック１の上部側から凹部１０の内側に巻き込む表皮材３ａと、内端末をバックボード１３にトリムコード１４で止着する表皮材３ｂと、その他の表皮材から縫製されたトリムカバー３で被包されている。このトリムカバー３では、表皮材３ａの端末を折り返すと共に、表皮材３ｂの端末と重ねて縫い合わせることから、後向きの折返し部３ｃが凹部１０の天部幅方向に沿って設けられている。
【００１０】
アームレスト本体２は、後側上下に亘る表皮材４ａと、前側上下に亘る表皮材４ｂと、左右に亘る表皮材（図示せず）とから縫製されたトリムカバー４で被包されている。このトリムカバー４では、表皮材４ａの端末を折り返すと共に、表皮材４ｂの端末と重ねて縫い合わせることから、前向きの折返し部４ｃがアームレスト本体２の上部幅方向に沿って設けられている。
【００１１】
その折返し部３ｃ，４ｃは、凹部１０の折返し部３ｃが前側から、アームレスト本体２の折返し部４ｃが後側から互いに向き合って付き合わさるようシングルステッチで縫い合わされている。折返し部４ｃの縫着にあたっては、ループの基部側を表皮材４ａの折り返した端末と表皮材４ｂの端末との間に挟み込んで共縫いすることにより、ヘッドレスト本体２の上部から凹部１０の外側に引き出すストラップ５を取り付けられる。
【００１２】
このように構成する自動車用シートの埋込み型アームレストでは、アームレスト本体２をシートバック１の凹部１０に組み付けると、凹部１０の天部幅方向に設けた後向きの折返し部３ｃと、アームレスト本体２の上部幅方向に設けた前向きの折返し部４ｃとが付き合わさるため、簡単な構成により、ヘッドレスト本体２が前倒れするのを防止可能な摩擦抵抗を付与でき、ブレーキ作動等に伴って前に倒れ出さない程度のホールド性を持たせられる。
【００１３】
それと共に、各折返し部３ｃ，４ｃが表皮材で形成されているため、使用者がアームレスト本体２を前倒しするに邪魔となる程の摩擦抵抗を付与するものでなく、アームレスト本体２のホールド性と適度なバランスを保ち、アームレスト本体２をシートバック１の凹部１０から容易に出入れできるよう組み付けられる。なお、アームレスト本体２を前倒しにしても、アームレスト本体２のシングルステッチが表に現われるだけであるから（図２参照）、体裁も良好に保てる。
【図面の簡単な説明】
【００１４】
【図１】本発明に係る埋込み型アームレストを備える自動車用シートをアームレスト本体の収納状態で示す斜視図である。
【図２】図１の自動車用シートをアームレスト本体の前倒し状態で示す斜視図である。
【図３】図１の自動車用シートをＡ−Ａ線で示す側断面図である。
【図４】一般例に係る埋込み型アームレストを備える自動車用シートを示す側面図である。
【符号の説明】
【００１５】
１            シートバック
１０          シートバックの凹部
２            アームレスト本体
３ａ，３ｂ    表皮材
３ｃ          後向きの折返し部
３ａ，３ｂ    表皮材
３ｃ          前向きの折返し部
【図１】
2005119432.tif 000003
【図２】
2005119432.tif 000004
【図３】
2005119432.tif 000005
【図４】
2005119432.tif 000006